(57)【要約】【課題】歩行姿勢矯正器具を気軽に装着でき、上半身の姿勢を保ちながら下半身のトレーニングも行えるものにする。【解決手段】歩行者５０の歩行姿勢を矯正する歩行姿勢矯正器具１において、歩行者５０の胸部に装着される姿勢改善バンド２と、上端が姿勢改善バンド２の背面側に連結され、歩行者５０の脚部、腰部及び背中に配置される弾性部材を備えた一対の帯状伸縮部材１０，１１と、一対の帯状伸縮部材１０，１１の下端がそれぞれ装着可能な一対の脚部装着部材３，４とを設ける。帯状伸縮部材１０は、歩行者５０の背面を通り、下端が脚部装着部材３，４の背面側に連結されており、弾性部材としての複数の帯状ベルト１２，１３を含み、これら複数の帯状ベルト１２，１３は、伸縮の際にヒステリシスロスを発生させるヒステリシスロス発生手段を有する。【選択図】図１Ａ
2020162925.tif 000002
【特許請求の範囲】
【請求項１】
歩行者の歩行姿勢を矯正する歩行姿勢矯正器具において、
上記歩行者の胸部に装着される姿勢改善バンドと、
上端が上記姿勢改善バンドの背面側に連結され、上記歩行者の脚部、腰部及び背中に配置される弾性部材を備えた一対の帯状伸縮部材と、
上記一対の帯状伸縮部材の下端がそれぞれ装着可能な一対の脚部装着部材とを備え、
上記帯状伸縮部材は、上記歩行者の背面を通り、下端が上記脚部装着部材の背面側に連結されており、
上記帯状伸縮部材は、上記弾性部材としての帯状ベルトを含み、該帯状ベルトは、伸縮の際にヒステリシスロスを発生させるヒステリシスロス発生手段を有する
ことを特徴とする歩行姿勢矯正器具。
【請求項２】
請求項１に記載の歩行姿勢矯正器具において、
上記ヒステリシスロス発生手段は、該ヒステリシスロス発生手段を設けない場合に比べ、伸縮の際にヒステリシスロスとして１０％以上増加させるように構成されている
ことを特徴とする歩行姿勢矯正器具。
【請求項３】
請求項１又は２に記載の歩行姿勢矯正器具において、
上記帯状伸縮部材は、上記弾性部材としての複数の帯状ベルトを含み、該複数の帯状ベルトは、伸縮の際に互いに摩擦抵抗が生じるように構成されている
ことを特徴とする歩行姿勢矯正器具。
【請求項４】
請求項３に記載の歩行姿勢矯正器具において、
上記複数の帯状ベルトは、互いに異なる弾性率を有し、上端側で互いに連結され、連結部側が支持ピンを跨いで行き来可能に構成されている
ことを特徴とする歩行姿勢矯正器具。
【請求項５】
請求項３又は４に記載の歩行姿勢矯正器具において、
上記複数の帯状ベルトのうち、身体に触れる面の帯状ベルトの摩擦係数が、反対側の該複数の帯状ベルトが互いに接する面の摩擦係数よりも小さい
ことを特徴とする歩行姿勢矯正器具。
【請求項６】
請求項１又は２の歩行姿勢矯正器具において、
上記ヒステリシスロス発生手段は、上記帯状ベルトと異なる材質で構成された複数の環状部材で構成され、
上記帯状ベルトが、上記複数の環状部材に挿通されており、伸縮の際に該帯状ベルトと該環状部材との間で摩擦抵抗が生じるように構成されている
ことを特徴とする歩行姿勢矯正器具。
【請求項７】
歩行者の歩行を矯正する歩行姿勢矯正器具において、
少なくとも膝関節の上方かつ股関節の下方に装着される脚部装着部材と、
上端が股関節よりも上方で固定され、下端が上記脚部装着部材に連結される弾性部材を備えた帯状伸縮部材とを備え、
上記脚部装着部材は、正面側及び背面側のいずれにも上記帯状伸縮部材の下端を連結可能に構成されており、
上記帯状伸縮部材の下端を上記脚部装着部材の正面側に連結したときには、脚を持ち上げる力が加わり、
上記帯状伸縮部材の下端を上記脚部装着部材の背面側に連結したときには、脚を背面側に引っ張る力が加わるように構成されている
ことを特徴とする歩行姿勢矯正器具。
【発明の詳細な説明】
【技術分野】
【０００１】
本発明は、帯状ベルトを利用した歩行姿勢矯正器具に関するものである。
【背景技術】
【０００２】
従来より、利用者に装着されると共に利用者の歩行を補助する歩行支援器具であって、装着時に利用者の大腿直筋に沿って大腿部の前側に配置される長尺状の弾性体と、利用者の股関節より上方において弾性体の上端を利用者に対して固定する第１固定具と、利用者の股関節より下方かつ膝関節の上方において弾性体の下端を利用者に対して固定する第２固定具とを有する歩行支援器具が知られている（例えば、特許文献１参照）。
【０００３】
また、特許文献２及び３に示すように、柔軟性を有する補助力伝達部と、この補助力伝達部の一方の端部に設けられて使用者の股関節を挟んだ膝側に装着される第一の装着部と、この補助力伝達部の他方の端部に設けられて使用者の股関節を挟んだ腰側に装着される第二の装着部と、この第二の装着部によって支持されてこの補助力伝達部に対して引張方向のアシスト力を及ぼす駆動源とを有する歩行補助装置が知られている。この歩行補助装置では、駆動源によってアシスト力を強制的に付加するようにしている。
【０００４】
さらに、特許文献４のように、右肩把持バンド、左肩把持バンド、右足把持バンド、及び、左足把持バンドのそれぞれの収縮力により右肩、左肩、右足、及び左足を中央結合点へ引寄せる姿勢改善バンドも知られている。
【先行技術文献】
【特許文献】
【０００５】
【特許文献１】特開２０１７-２１３２７９号公報
【特許文献２】特開２０１７-６０５６４号公報
【特許文献３】特開２０１７-１７０００８号公報
【特許文献４】特開２００３−１３５４９８号公報
【発明の概要】
【発明が解決しようとする課題】
【０００６】
特許文献２及び３のような駆動源を有する歩行補助装置は、比較的大きなアシスト力を加えることができるが、駆動源やそれに電力を与える二次電池などが必要となって装置が大がかりとなり、装着感がよくない。
【０００７】
一方、歩くときに負荷を加えてトレーニング効果を発揮させる、ウエア、下着は知られているが、同時に胸部の姿勢も保ちたいというニーズもある。
【０００８】
本発明は、かかる点に鑑みてなされたものであり、その目的とするところは、気軽に装着でき、上半身の姿勢を保ちながら下半身のトレーニングも行えるようにすることにある。
【課題を解決するための手段】
【０００９】
上記の目的を達成するために、この発明では、伸縮の際にヒステリシスロス、摩擦抵抗が生じるように構成された帯状ベルトを含む帯状伸縮部材を設けた。
【００１０】
具体的には、第１の発明では、歩行者の歩行を矯正する歩行姿勢矯正器具を対象とし、
上記歩行者の胸部に装着される姿勢改善バンドと、
上端が上記姿勢改善バンドの背面側に連結され、上記歩行者の脚部、腰部及び背中に配置される弾性部材を備えた一対の帯状伸縮部材と、
上記一対の帯状伸縮部材の下端がそれぞれ装着可能な一対の脚部装着部材とを備え、
上記帯状伸縮部材は、上記歩行者の背面を通り、下端が上記脚部装着部材の背面側に連結されており、
上記帯状伸縮部材は、上記弾性部材としての帯状ベルトを含み、該帯状ベルトは、伸縮の際にヒステリシスロスを発生させるヒステリシスロス発生手段を有するように構成されている。
【００１１】
上記の構成によると、胸部の歩行姿勢矯正器具と一対の帯状伸縮部材とを同時に使用するので、胸部の姿勢をきれいに保ちながら、一対の帯状伸縮部材によって脚部を持ち上げるときに負荷が加わるので、背筋が伸びると共に、脚にはトレーニング効果が発揮される。弾性部材として帯状ベルトによって負荷を与えるようにしているので、電動モータなどを必要とせず、歩行姿勢矯正器具と同時に装着しても目立たない。さらに、脚部から背中まで帯状ベルトを延ばすことができるので、バネ定数を低くしても引っ張り力を十分に発揮できる。
【００１２】
第２の発明では、第１の発明において
上記ヒステリシスロス発生手段は、該ヒステリシスロス発生手段を設けない場合に比べ、伸縮の際にヒステリシスロスとして１０％以上増加させるように構成されている。
【００１３】
上記の構成によると、帯状ベルトが伸縮する際にゴムがヒステリシスロスがヒステリシスロス発生手段を設けない場合に比べて１０％以上生じることを利用することで、トレーニング効果が向上する。
【００１４】
第３の発明では、第１又は第２の発明において
上記帯状伸縮部材は、上記弾性部材としての複数の帯状ベルトを含み、該複数の帯状ベルトは、伸縮の際に互いに摩擦抵抗が生じるように構成されている。
【００１５】
上記の構成によると、複数の帯状ベルトが伸縮の際にお互いに摩擦抵抗が生じるように構成されているので、積極的に摩擦損失を生じさせることができ、トレーニング効果が向上する。
【００１６】
第４の発明では、第３の発明において、
上記複数の帯状ベルトは、互いに異なる弾性率を有し、上端側で互いに連結され、連結部側が支持ピンを跨いで行き来可能に構成されている。
【００１７】
上記の構成によると、複数の帯状ベルトは、弾性率が異なるので、伸縮の際に相対的なずれが生じるが、上端側で互いに連結され、連結部が支持ピンを跨いで行き来できるので、一方側の帯状ベルトのみが撓むなどの不都合が生じない。
【００１８】
第５の発明では、第３又は第４の発明において、
上記複数の帯状ベルトのうち、身体に触れる面の帯状ベルトの摩擦係数が、反対側の該複数の帯状ベルトが互いに接する面の摩擦係数よりも小さい構成とする。
【００１９】
上記の構成によると、下着などに接触する面は摩擦係数を小さくし、反対側の複数の帯状ベルトが互いに接する面は大きくして摩擦係数の差を生じさせることにより、下着などが傷まないようにしながら、適度な摩擦損失を生じさせることができる。
【００２０】
第６の発明では、第１又は２の発明において、
上記ヒステリシスロス発生手段は、上記帯状ベルトと異なる材質で構成された複数の環状部材で構成され、
上記帯状ベルトが、上記複数の環状部材に挿通されており、伸縮の際に該帯状ベルトと該環状部材との間で摩擦抵抗が生じるように構成されている。
【００２１】
上記の構成によると、胸部の歩行姿勢矯正器具と一対の帯状伸縮部材とを同時に使用するので、胸部の姿勢をきれいに保ちながら、一対の帯状伸縮部材によって脚部を持ち上げるときに負荷が加わるので、背筋が伸びると共に、脚にはトレーニング効果が発揮される。弾性部材としての帯状ベルトと、これが挿通される環状部材とによって負荷を与えるようにしているので、電動モータなどを必要とせず、歩行姿勢矯正器具と同時に装着しても目立たない。さらに、脚部から背中まで帯状ベルトを延ばすことができるので、バネ定数を低くしても引っ張り力を十分に発揮できる。しかも、帯状ベルトと環状部材との間で帯状伸縮部材の伸縮の際に摩擦抵抗により摩擦損失が発生するので、トレーニング効果が向上する。
【００２２】
第７の発明では、歩行者の歩行を矯正する歩行姿勢矯正器具において、
少なくとも膝関節の上方かつ股関節の下方に装着される脚部装着部材と、
上端が股関節よりも上方で固定され、下端が上記脚部装着部材に連結される弾性部材を備えた帯状伸縮部材とを備え、
上記脚部装着部材は、正面側及び背面側のいずれにも上記帯状伸縮部材の下端を連結可能に構成されており、
上記帯状伸縮部材の下端を上記脚部装着部材の正面側に連結したときには、脚を持ち上げる力が加わり、
上記帯状伸縮部材の下端を上記脚部装着部材の背面側に連結したときには、脚を背面側に引っ張る力が加わるように構成されている。
【００２３】
上記の構成によると、簡単な構成で、装着しても目立つことなく、１つの歩行姿勢矯正器具で歩行のアシストと、歩行のトレーニングとを行うことができる。
【発明の効果】
【００２４】
以上説明したように、本発明によれば、気軽に装着でき、上半身の姿勢を保ちながら下半身のトレーニングも行える。
【００２５】
また、第７の発明によれば、１つの歩行姿勢矯正器具で歩行のアシストと、歩行のトレーニングとを行うことができる。
【図面の簡単な説明】
【００２６】
【図１Ａ】実施形態１に係るトレーニング姿勢で歩行姿勢矯正器具を装着した状態を示す背面図である。
【図１Ｂ】トレーニング姿勢で歩行姿勢矯正器具を装着した状態を示す正面図である。
【図２】トレーニング姿勢で歩行姿勢矯正器具を装着したときに股関節にかかる回転トルクを示すグラフである。
【図３】帯状伸縮部材の弾性ヒステリシスロスを示すグラフである。
【図４Ａ】実施形態１の変形例に係る複数の環状部材が装着された帯状伸縮部材を示す正面図である。
【図４Ｂ】アジャスターが装着された帯状伸縮部材を拡大して示す斜視図である。
【図４Ｃ】アジャスターが装着された帯状伸縮部材を拡大して別の方向から示す斜視図である。
【図５】アジャスターの個数を変更したときの弾性ヒステリシスロスを示すグラフである。
【図６】アジャスターの個数を変更したときの弾性ヒステリシスロスを一部拡大して示すグラフである。
【図７】アジャスターの個数と弾性ヒステリシスロスとの関係を示すグラフである。
【図８Ａ】実施形態２に係るアシスト姿勢で歩行姿勢矯正器具を装着した状態を示す背面図である。
【図８Ｂ】アシスト姿勢で歩行姿勢矯正器具を装着した状態を示す正面図である。
【図９】アシスト姿勢で歩行姿勢矯正器具を装着したときに股関節にかかる回転トルクを示すグラフである。
【図１０】実施形態１に係る、弾性率及び摩擦係数に差を設けた帯状ベルトの構成例について説明する斜視図である。
【発明を実施するための形態】
【００２７】
以下、本発明の実施形態を図面に基づいて説明する。
【００２８】
図１Ａ及び図１Ｂは、本発明の実施形態１の歩行姿勢矯正器具１を示し、この歩行姿勢矯正器具１は、歩行者５０の歩行を補助するもので、歩行者５０の胸部に装着される姿勢改善バンド２を備えている。姿勢改善バンド２は、例えば、肩胛骨側に当接する背中部２ａと、この背中部２ａの左右に設けられ、歩行者５０の両肩にそれぞれかけられる肩部２ｂとを備えている。背中部２ａの下端には、一対の上側ベルト装着部２ｃが設けられている。上側ベルト装着部２ｃの構成は特に限定されないが、例えば、樹脂製のバックル１５などが適している。
【００２９】
歩行姿勢矯正器具１は、さらに上端が姿勢改善バンド２の背面側の一対の上側ベルト装着部２ｃにそれぞれ連結される一対の帯状伸縮部材１０，１１を備えている。この一対の帯状伸縮部材１０，１１は、歩行者５０の脚部、腰部及び背中に配置される弾性部材を備えている。一対の帯状伸縮部材１０，１１の上下端部には、上側ベルト装着部２ｃ及び後述する脚部背面側ベルト接続部３ａ，４ａに脱着可能なバックルの部品が取り付けられており、脱着が容易となっている。
【００３０】
歩行姿勢矯正器具１は、さらに、一対の帯状伸縮部材１０，１１の下端がそれぞれ装着可能な一対の脚部装着部材３，４を備えている。そして、帯状伸縮部材１０，１１は、歩行者５０の背面を下方に向かって延び、下端が脚部装着部材３，４の背面側に連結されるようになっている。本実施形態の脚部装着部材３，４は、少なくとも背面側に帯状伸縮部材１０，１１を装着するための脚部背面側ベルト接続部３ａ，４ａがそれぞれ設けられている。
【００３１】
そして本実施形態では、帯状伸縮部材１０は、弾性部材として複数の帯状ベルト１２，１３を含む。これら複数の帯状ベルト１２，１３は、伸縮の際に互いに摩擦抵抗が生じるように構成されている。
【００３２】
具体的には、例えば、図１０に示すように、２枚の帯状ベルト１２，１３は、太さを変えるなどにより、互いに異なる弾性率を有する。そして、上端側が互いに接続されており、例えば、バックル１５に支持ピン１５ａを設けることで、２枚の帯状ベルト１２，１３の接続部分が支持ピン１５ａを行き来可能に構成されている。なお、２枚の帯状ベルト１２，１３の下端側は、バックル１５においてそれぞれが固定されていてもよい。
【００３３】
例えば、２枚の帯状ベルト１２，１３において、身体に触れる側の面の摩擦係数μ１（平滑性）は、反対側の互いに接触する面の摩擦係数μ２（平滑性）よりも小さくなっている（μ１<μ２）。この摩擦係数の差は、例えば、互いに接する面に細かな凹凸等を形成して実現するようにしてもよい。本実施形態では、このような構成により、ヒステリシスロス発生手段が構成されている。
【００３４】
また、ベルト位置機構部２０を設けることによって、垂直方向におけるベルトの位置を適正に保つことができる。
【００３５】
次に、本実施形態に係る歩行姿勢矯正器具１の作動について説明する。
【００３６】
図２には、歩行者５０が歩行姿勢矯正器具１を装着して歩行したときの、所定のモデル式に従って計算した、股関節の角度と股関節に加わる回転トルクの関係を示す。例えば、右足で説明すると、−側は右足が後、＋側は右足が前の位置にあるときを示す。
【００３７】
図１Ａ及び図１Ｂのように脚部の背面側に一対の帯状伸縮部材１０，１１を装着することにより、股関節の角度が−側から＋側までわたって、脚に負荷の力が掛かるような回転トルクが加わる。つまり、歩行者５０は、帯状ベルト１２，１３の負荷に抗しながら歩行することになり、トレーニング効果が加わる。
【００３８】
図３には、帯状ベルト１２，１３の変位と荷重との関係を示す。同じ伸び率ならバネ定数が小さい方が必要な荷重を小さくできる。図３にハッチングで表す領域は、帯状ベルトによるエネルギーの開放を示し、このエネルギーが身体に力を供給する量を示すので、アシスト目的であれば、ロスが小さい方が身体に与えるエネルギー量を多くできる。一方で、本実施形態のようなトレーニング目的であれば荷重が大きい方が適していることから、図３に示すヒステリシスロスは、トレーニング目的の場合、大きい方がよい。
【００３９】
以上説明したように、本実施形態では、胸部の歩行姿勢矯正器具１と一対の帯状伸縮部材１０，１１とを同時に使用することにより、胸部の姿勢をきれいに保ちながら、一対の帯状伸縮部材１０，１１によって脚部を持ち上げるときに負荷が加わるので、背筋が伸びると共に、脚にはトレーニング効果が発揮される。また、弾性部材としての複数の帯状ベルト１２，１３によって負荷を与えるようにしているので、電動モータなどを必要とせず、歩行姿勢矯正器具１と同時に装着しても目立たない。さらに、脚部から背中まで帯状ベルト１２，１３を延ばすことができるので、バネ定数を低く、変化を小さくし、引っ張り力を十分に発揮できる。しかも、複数の帯状ベルト１２，１３が伸縮する際に互いに摩擦抵抗が生じるようにしているので、積極的に摩擦損失を生じさせることができ、トレーニング効果が向上する。
【００４０】
このように本実施形態では、複数の帯状ベルト１２，１３の弾性率が異なるようにしたので、伸縮の際に相対的なずれが生じるが、２枚の帯状ベルト１２，１３は、上端側で互いに連結され、連結部が支持ピン１５ａを跨いで行き来できるので、一方側の帯状ベルト１２，１３のみが撓むなどの不都合が生じない。そして、互いに接する面で擦れ合うので適度な摩擦損失が発生する。これにより、トレーニング効果が向上する。
【００４１】
本実施形態では、下着などに接触する面は摩擦係数を小さくし、反対側の互いに接する面は大きくして摩擦係数の差を生じさせることにより、下着などが傷まないようにしながら、適度な摩擦損失を生じさせることができる。
【００４２】
したがって、本実施形態に係る歩行姿勢矯正器具１によると、気軽に装着でき、上半身の姿勢を保ちながら下半身のトレーニングも行える。
【００４３】
−変形例−
図４Ａ〜図４Ｃは、本発明の実施形態１の変形例を示し、一対の帯状伸縮部材１１０，１１１の構成が異なる点で上記実施形態１と異なる。なお、以下の本変形例及び実施形態２では、図１Ａ〜図３と同じ部分については同じ符号を付してその詳細な説明は省略する。
【００４４】
一対の帯状伸縮部材１１０，１１１は、上記実施形態１と異なり、それぞれ１枚ずつの帯状ベルト１１２を備えている。そして、帯状ベルト１１２は、例えば、樹脂成形品よりなる複数の環状部材としてのアジャスター１１４に挿通されており、伸縮の際に帯状ベルト１１２との間で摩擦抵抗が生じるように構成されている。本変形例では、ヒステリシスロス発生手段は、複数のアジャスター１１４で構成されている。
【００４５】
アジャスター１１４は、矩形状枠部１１４ａと、この矩形状枠部１１４ａの中央に延びる挟持部１１４ｂとを有し、矩形状枠部１１４ａと挟持部１１４ｂとの間にできる矩形状の開口部１１４ｃに帯状ベルト１１２を通す。すると、帯状ベルト１１２が伸縮するときに矩形状枠部１１４ａと挟持部１１４ｂで挟持された帯状ベルト１１２が摩擦抵抗を受けるので、トレーニング効果が発生する。
【００４６】
図５及び図６にアジャスター１１４を設けない０個の場合から、適度な間隔を空けて帯状ベルト１１２に２〜１０個設けた場合の変位と引張荷重との関係を示す。アジャスター１１４の数が増加すると、傾きは緩やかになっている。このことから傾きで示されるバネ定数も小さくなっていることがわかる。
【００４７】
図７は、アジャスター１１４の個数とヒステリシスロスとの関係を示す棒グラフである。図５で各個数毎に囲まれる面積の違いからエネルギーロスの相違点がわかる。これにより、アジャスター１１４の個数を変更することで、ヒステリシスロスを増加できることがわかった。但し、８個の場合と１０個の場合とであまり差が現れていないことから、一定数以上は、個数を増やしてもヒステリシスロスを増加させる効果は現れにくいことがわかった。
【００４８】
上記本実施形態では、帯状ベルト１１２とアジャスター１１４との間で帯状伸縮部材１０の伸縮の際に摩擦抵抗により摩擦損失が発生するので、トレーニング効果が向上する。
【００４９】
（実施形態２）
図８Ａ及び図８Ｂは、本発明の実施形態２を示し、特にアシストを目的として使用する点が異なる点で上記実施形態１と異なる。
【００５０】
本実施形態の歩行姿勢矯正器具２０１は、歩行者５０の歩行を矯正しながらアシストする用途にも使用できるようになっている。つまり、上記実施形態１のようなトレーニング用途でも使用できるし、図８Ａ及び図８Ｂに示すアシスト用途でも使用できる。いずれの場合にも姿勢矯正の効果は発揮される。
【００５１】
本実施形態においても、脚部装着部材３，４は、少なくとも膝関節の上方かつ股関節の下方に装着される。
【００５２】
本実施形態では、脚部装着部材３，４は、正面側及び背面側のいずれにも帯状伸縮部材１０，１１の下端を連結可能に構成されており、脚部背面側ベルト接続部３ａ，４ａが設けられているだけでなく、正面側にも脚部正面側にも接続部３ｂ，４ｂが設けられている。
【００５３】
帯状伸縮部材１０，１１の上端は、図８Ａ及び図８Ｂに示すように一対の上側ベルト装着部２ｃに装着されている。一対の帯状伸縮部材１０，１１は、上記実施形態１のトレーニング用途のときと異なり、背中でクロスされ、腰を通ってから脚部装着部材３，４の正面側にそれぞれ連結されている。なお、一対の帯状伸縮部材１０，１１の上端は、股関節よりも上方であれば、背中よりも下の腰部のベルトなどに装着してもよい。
【００５４】
また、ベルト位置機構部２１を設けることによって、垂直方向におけるベルトの位置を
適正に保つことができる。
【００５５】
図８Ａ及び図８Ｂに示すように、一対の帯状伸縮部材１０，１１の下端を脚部装着部材３，４の正面側にそれぞれ連結したときには、脚を持ち上げる力が加わるように、すなわちアシスト力が発生するように構成されている。
【００５６】
図９には、歩行者５０が歩行姿勢矯正器具１を装着して歩行したときの、所定のモデル式に従って計算した、股関節の角度と股関節に加わる回転トルクの関係を示す。
【００５７】
図８Ａ及び図８Ｂのように脚部の正面側に一対の帯状伸縮部材１０，１１を装着することにより、股関節の角度が−側から＋側までわたって、脚を引き上げようとする回転トルクが加わる。つまり、歩行者５０は、帯状ベルト１２，１３の弾性力にアシストされながら歩行することになる。
【００５８】
本実施形態では、上記実施形態１で図１Ａ及び図１Ｂで示したように、帯状伸縮部材１０の下端を脚部装着部材３，４の背面側に連結することもでき、そのときには、脚を背面側に引っ張る力が加わる、トレーニング用途としても使用可能となっている。
【００５９】
このように本実施形態でも、電動モータなどのアクチュエータを有さず、簡単な構成で、装着しても目立つことない。
【００６０】
本実施形態のようなアシスト効果のある使用形態であっても、姿勢改善バンド２の下側には、一対の帯状伸縮部材１０，１１による張力が働くので、アシスト効果が得られるだけでなく、背筋が伸び、歩行姿勢も矯正される。
【００６１】
したがって、本実施形態に係る歩行姿勢矯正器具１によると、１つの歩行姿勢矯正器具２０１で歩行のアシストと、歩行のトレーニングとを行うことができる。
【００６２】
なお、以上の実施形態は、本質的に好ましい例示であって、本発明、その適用物や用途の範囲を制限することを意図するものではない。
【符号の説明】
【００６３】
１      歩行姿勢矯正器具
２      姿勢改善バンド
２ａ    背中部
２ｂ    肩部
２ｃ    上側ベルト装着部
３，４  脚部装着部材
３ａ，４ａ    脚部背面側ベルト接続部
３ｂ，４ｂ    接続部
１０，１１      帯状伸縮部材
１２，１３      帯状ベルト
１５            バックル
１５ａ          支持ピン
２０            背面用ベルト位置機構部
２１            正面用ベルト位置機構部
５０      歩行者
１１０，１１１    帯状伸縮部材
１１２      帯状ベルト
１１４      アジャスター（環状部材、ヒステリシスロス発生手段）
１１４ａ    矩形状枠部
１１４ｂ    挟持部
１１４ｃ    開口部
２０１      歩行姿勢矯正器具
【図１Ａ】
2020162925.tif 000003
【図１Ｂ】
2020162925.tif 000004
【図２】
2020162925.tif 000005
【図３】
2020162925.tif 000006
【図４Ａ】
2020162925.tif 000007
【図４Ｂ】
2020162925.tif 000008
【図４Ｃ】
2020162925.tif 000009
【図５】
2020162925.tif 000010
【図６】
2020162925.tif 000011
【図７】
2020162925.tif 000012
【図８Ａ】
2020162925.tif 000013
【図８Ｂ】
2020162925.tif 000014
【図９】
2020162925.tif 000015
【図１０】
2020162925.tif 000016